(57)【要約】【課題】  容器に入れた飲料を携帯した場合、出来るだけ長時間低温に保持し、いつでも快適に飲むことが出来るようにしようとしたものである。また、無駄な重量を携帯することのないよう保冷剤に飲料に適したものを使用できるようにした。【解決手段】  保冷剤として飲用に適した物を使用し保冷剤容器に封入し、これを凍結させて保冷剤とし、これを飲料用容器の中心部に設けた保冷剤容器用筒形穴に設置するようにした。【選択図】  図１
2006315707.tif 000002
【特許請求の範囲】
【請求項１】
飲料を封入する飲料用容器において、保冷剤を封入した保冷剤容器を挿入するための保冷剤容器用筒形穴を設けたこと特徴とする飲料用容器。
【請求項２】
飲料を封入する飲料用容器において、保冷剤容器を挿入するための保冷剤容器用筒形穴を設けるとともに該筒形穴の中に保冷剤容器を有することを特徴とする飲料用容器。
【請求項３】
請求項２において、保冷剤容器の一部に突起部を設けたことを特徴とする請求項２の飲料用容器。
【請求項４】
請求項２において、保冷剤容器の一部に蛇腹部を設けたことを特徴とする請求項２の飲料用容器。
【請求項５】
請求項１において、保冷剤容器固定部１３を保冷剤容器用筒形穴に設けたことを特徴とする請求項１の飲料用容器。
【請求項６】
請求項１において、補強を保冷剤容器用筒形穴に設けたことを特徴とする請求項１の飲料用容器。
【請求項７】
請求項１において、保冷剤容器用筒形穴の容積を飲料用容器の容積の０．３倍以上としたことを特徴とする請求項１の飲料用容器。
【発明の詳細な説明】
【技術分野】
【０００１】
本発明はジュース、スポーツドリンク、ビール等の飲料の容器に関するものである。
【背景技術】
【０００２】
従来のジュースやビール等の飲料をハイキングその他のアウトドア・スポーツ時の携帯中に低温に保持する手段としては、飲料そのものを凍結する場合と以下のよう保冷剤を利用する場合がある。
【０００３】
特許文献１はペットボトルホルダーにジェル状冷却材を巻きつけ、ペットボトルを外周から冷却する。特許文献２は保温ケースの中に保冷剤を入れペットボトルの外周を低温にする。特許文献３は断熱材の内側に保冷剤をいれ、その内側にワインの壜を入れ、壜の外周の温度を下げる。特許文献４は断熱性を持つ保冷用具の底部に冷却用材を置き、その上に缶入りビールを置いて保冷する。これらはいずれも飲料の容器の外側と断熱ケースとの間に保冷剤を設置する構造となっている。
【特許文献１】特開２００４−３１７１０１（Ｐ２００４−３１７１０１Ａ）
【特許文献２】特開平８−６１８１９
【特許文献３】特開２００３−１５３７２１（Ｐ２００３−１５３７２１Ａ）
【特許文献４】実用新案登録第３０９６２２７号（Ｕ３０９６２２７）
【発明の開示】
【発明が解決しようとする課題】
【０００４】
飲料そのものを一般家庭で凍結する場合には、解凍の途中で飲むと始めは濃く、最後は薄く水っぽくなる欠点があった。
【０００５】
また保冷剤を使用する上記のような従来の技術は、飲むことのできない保冷剤を携帯しなければならない欠点があった。また、いずれも保冷剤を飲料の容器の外側と断熱ケースとの間に保冷剤を設置する構造となっている。このため温度の低い保冷剤が断熱ケースの近くに直接設置されるためどうしても断熱ケースの外周の空気への熱損出が大きくなる欠点があった。本発明は、この欠点を改善しようとするものである。
【課題を解決するための手段】
【０００６】
以上の欠点を改善するため本発明は、ペットボトルのような飲料用容器の内側に保冷剤を設置するための筒形穴を設け、その中に凍結した保冷剤を入れた保冷剤容器を入れるようにしたものである。
【０００７】
必要に応じ保冷剤容器の一部に蛇腹部や突起部あるいは開口とそれを塞ぐための蓋を設けることもできる。また、保冷剤容器と筒形飲料用容器の密着性をよくするために弾性部材を介して保冷剤容器を取り付けることもできる。また、保冷剤容器の一部の外径を筒形穴の内径より大きくし、圧入するにより取り付けることもできる。
【０００８】
必要に応じ筒形穴の内側に補強材を挿入、または筒形穴の途中にリング状の段を設けた段付き筒形穴にすることもできる。
【発明の効果】
【０００９】
飲料と保冷剤を別容器に入れているため保冷剤の一部が凍結しているうちに飲料を飲んでも濃度の変化がなく快適に飲むことができる。また、保冷剤も飲用に適した水道水やミネラルウォーターを入れておくことにより保冷剤もすっきりした別の飲料として利用することができ、飲料に供する以外の無駄な重量を携帯する必要がなくなる。
【００１０】
また、筒形飲料用容器の内側に設けた筒型穴に凍結した保冷剤を入れた保冷剤容器を挿入することにより、最も温度の低い保冷剤は直接断熱ケースに触れず、保冷剤に比較して温度の高い飲料用容器が断熱ケースに触れるため、断熱ケースへの熱損出は少なくなる。その結果、より長い間、飲料を低い温度に保持することができる。
【実施例１】
【００１１】
以下、本発明の実施の形態を図１〜図８に基づいて説明する。
【００１２】
従来、一般にペットボトルとして市販されている図9のような飲料用容器に本発明を適用した例について述べる。図1において１は飲料、２は飲料１を封入するための飲料用容器、３はキャップ、４は保冷剤、５は保冷剤４を封入する保冷材容器、６は保冷材容器５を挿入する保冷剤容器用筒形穴、７は蛇腹部、８は突起部を示す。飲料用容器２とキャップ３の間のねじの図象は省略する。断面Ａ−Ａを２図に示す。
【００１３】
これらの図面において、断面は斜線でハッチングすると煩雑になるので太線で示している。また、保冷材容器４と保冷剤容器用穴６の隙間は、分かりやすくするため隙間をあけて描いてあるが、実物はほぼ密着しているものである。また図２において六角形と円形の断面を示しているが、本発明はこれにこだわるものではない。
【００１４】
図１においてジュースなどの飲料を飲料用容器２に、保冷剤容器５の中の飲用に適した保冷剤４を凍結させて保冷剤容器用筒形穴６に入れ、断熱ケース（図示省略）で携帯する。このようにすることにより、保冷剤がまだ凍っている時でも、飲料は正常の濃度で快適に飲むことができる。また、必要に応じて保冷剤容器５の突起部８をナイフなどで切断することにより保冷剤も飲むこともできる。
【００１５】
また、凍結した温度の低い保冷剤４は、飲料用容器２の内側に設置されているため断熱ケースへの熱損出も少なくなる特長がある。
【００１６】
保冷剤容器５に蛇腹部７を設けることにより、保冷剤４の凍結時、融解時の体積変化を蛇腹部７で吸収し、保冷剤容器５と保冷剤容器用筒形穴６との隙間を適正に保持しやすくすることが出来る特長がある。
保存方法として、このような飲料用容器２を使用する保存方法とすることにより前述のような長所を得ることが出来る。
【実施例２】
【００１７】
図３に保冷剤容器５の突起部８を開口９とそれを塞ぐための蓋１０に換えた実施例を示す。勿論、蓋１０は、ねじその他で開口９と漏れのないよう取付けられている。
【００１８】
このように保冷剤容器５に開口９と蓋１０とを設けることにより、保冷剤４を飲料として活用する場合に、そのつど任意の量だけ飲み、残りはそのまま保存することが出来る。
【実施例３】
【００１９】
次に保冷剤容器５を保冷剤容器用筒形穴６に密着させるための実施例を示す。図４において１１は保冷剤容器５を押し付けるための弾性体、１２は弾性体１１を介して保冷剤容器５を保冷剤容器用筒形穴６に設置するための取付具を示す。
【００２０】
このように弾性体１１により保冷剤容器５を常に保冷剤容器用筒形穴６に押し付けていることにより、保冷剤４の一部の融解によりその体積が縮少した場合でも、保冷剤容器５と保冷剤容器用筒形穴６との密着は保たれ、よりよく性能を保持することが出来る。
【実施例４】
【００２１】
次に保冷剤容器５を保冷剤容器用筒形穴６に設置するためのより簡単な構造について述べる。図５において、１３は保冷剤容器５を保冷剤容器用筒形穴６に設置するための保冷剤容器用筒形穴６の内径面に設けた保冷剤容器固定部を示す。１４は保冷剤容器用筒形穴６の底部の近傍の側面の内径面、１５はこれに対向する保冷剤容器５の先端の近傍の外径面を示す。
【００２２】
この保冷剤容器用筒形穴６の底部の近傍の側面の内径面１４をこれに対向する保冷剤容器５の先端の近傍の外径面１５より僅かに小径にし、保冷剤容器５を保冷剤容器用筒形穴６に圧入する。このように保冷剤容器固定部１３を圧入構造にすることにより、保冷剤容器５を保冷剤容器用筒形穴６に簡単に設置することが出来る。なお、この内径面１４と外径面１５を円とわずかの楕円との組合せにすることにより寸法の許容度を大きくすることが出来る。
【００２３】
この実施例では、保冷剤容器固定部１３を保冷剤容器用筒形穴６の底部の近傍に設けた場合について述べたが、底部近傍にはこだわらず保冷剤容器用筒形穴６の内径の他の部分を利用してもよい。
また、保冷剤容器固定部１３を圧入の場合について述べたが、一部に浅くてピッチの大きなねじを設けたり、凹凸を設けて保冷剤容器５を保冷剤容器用筒形穴６に回しながら挿入して固定する構造としてもよいことは勿論である。
【実施例５】
【００２４】
次に炭酸を含む飲料のように飲料用容器２に内圧がかかる場合の実施例について図６にて述べる。１６は保冷剤容器用筒形穴６の内面に設けた補強材である。材質は、内圧の程度により、プラスチックでもアルミニウムなどの金属を使用しても良い。
【００２５】
このように保冷剤容器用筒形穴６の内側に補強材１６を設け補強することにより、飲料用容器２に多少の内圧がかかった場合でも、保冷剤容器用筒形穴６が押し潰されることがなく、保冷剤容器５を挿入し、本来の機能を発揮することが出来る。
【実施例６】
【００２６】
次に内圧がかかる場合のより簡単な実施例について図７で述べる。１７は保冷剤容器用筒形穴６の途中に設けた補強のための補強リングである。
【００２７】
飲料用容器２に作用する圧力が小さい場合には、補強リング１７設け補強することにより保冷剤容器用筒形穴６が押し潰されるのを防止することが出来、より低コストで製作することができる。なお、この場合、保冷剤容器５の形状は、補強リング１７にあわせ段付きとした方が本来の機能を発揮しやすくなるのは勿論である。
【００２８】
以上のような実施例の保冷剤容器用筒形穴の容積については、断熱ケースの性能や飲料用容器の容積や外形により異なるが、一般的に携帯に便利な外径６０〜７０ｍｍ程度で５００ｍＬの場合には、３〜４時間程度低温に保持するには、飲料用容器の容積１に対し、保冷剤容器用筒形穴の容積０．３程度必要である
【実施例７】
【００２９】
次に飲料用容器２の材質が、市販されている缶ビールのように金属になった場合の実施例を図８に示す。このようなものにも説明は省略するが、本発明が前述と同様な効果を発揮することは明らかである。
【図面の簡単な説明】
【００３０】
【図１】本発明の飲料用容器の断面図
【図２】図１のＡ−Ａ線断面図
【図３】本発明の部分断面図
【図４】本発明の部分断面図
【図５】本発明の部分断面図
【図６】本発明の断面図
【図７】本発明の断面図
【図８】本発明の断面図
【図９】従来の飲料用容器の断面図
【符号の説明】
【００３１】
２  飲料用容器
４  保冷剤
５  保冷剤容器
６  保冷剤容器用筒形穴
７  蛇腹部
８  突起部
９  開口
１０  蓋
１１  弾性体
１２  取付具
１３  保冷剤容器固定部
１４  保冷剤容器用筒形穴６の底部の近傍の側面の内径面
１５  １４に対向する保冷剤容器５の先端の近傍の外径面
１６  補強材
１７  補強リング
１８  従来の飲料用容器
【図１】
2006315707.tif 000003
【図２】
2006315707.tif 000004
【図３】
2006315707.tif 000005
【図４】
2006315707.tif 000006
【図５】
2006315707.tif 000007
【図６】
2006315707.tif 000008
【図７】
2006315707.tif 000009
【図８】
2006315707.tif 000010
【図９】
2006315707.tif 000011